(57)【要約】【課題】ラップフィルムの切れ味を向上させる為に切り刃を変形しない様に固定する切り刃固定具を提供すること。又、ラップフィルムの切れ味を向上させる切り方を提供すること。以って地球環境保護や食品安全性に貢献すること。【解決手段】断面が曲がり角度９０°又はほぼ９０°のＬ字形の部分を有する切り刃固定具なのであって、これをラップフィルム収納箱１の蓋体２の回動中心軸５から切り刃７まで延びる蓋体２の角部６に固定する様にする。蓋体２の回動中心軸５側を構成する部分の表面がほぼ水平である状態から所定角度だけ予めラップフィルム収納箱１をその長手方向を軸に内側へ回転させておき、然る後にラップフィルム収納箱１の一端部を中心にラップフィルム収納箱１を外側へ回転させる様に動かしてラップフィルムを切る様にした。【選択図】図２
2010260636.tif 000002
【特許請求の範囲】
【請求項１】
ラップフィルムを幾周にも巻いたロールを収納するラップフィルム収納箱の蓋体の回動中心軸から切り刃まで延びる蓋体の角部に固定して切り刃を固定する為の切り刃固定具であって、この切り刃固定具は断面が曲がり角度９０°又はほぼ９０°のＬ字形の部分を有する形状である事を特徴としたラップフィルムの切り刃固定具。
【請求項２】
ラップフィルムを切る為の切り刃を固定する切り刃固定具であって、この切り刃固定具はラップフィルムを幾周にも巻いたロールを収納するラップフィルム収納箱の蓋体の回動中心軸から切り刃まで延びる蓋体の角部から切り刃までの部分に当てて固定する構成である事を特徴としたラップフィルムの切り刃固定具。
【請求項３】
請求項１記載のラップフィルムの切り刃固定具において切り刃固定具の蓋体の回動中心軸側にある部分と切り刃固定具の切り刃側にある部分との内で前者の部分の表面に親指を当ててラップフィルムを切る方法であって、前記蓋体の回動中心軸側を構成する部分の表面がほぼ水平である状態から所定角度だけ予めラップフィルム収納箱をその長手方向を軸に内側へ回転させておき、然る後にラップフィルム収納箱の一端部を中心にラップフィルム収納箱を外側へ回転させる様に動かしてラップフィルムを切る方法。
【請求項４】
請求項２記載のラップフィルムの切り刃固定具において切り刃固定具に親指を当ててラップフィルムを切る方法であって、蓋体の切り刃側を構成する部分の表面がほぼ水平である状態から所定角度だけ予めラップフィルム収納箱をその長手方向を軸に内側へ回転させておき、然る後にラップフィルム収納箱の一端部を中心にラップフィルム収納箱を外側へ回転させる様に動かしてラップフィルムを切る方法。
【請求項５】
ラップフィルムを切る時のラップフィルム収納箱を動かす方向とは反対方向にラップフィルム収納箱を向けておき、然る後にラップフィルム収納箱の一端部を中心にラップフィルム収納箱を外側へ回転させる様に動かして切る請求項３又は４記載のラップフィルムを切る方法。
【発明の詳細な説明】
【技術分野】
【０００１】  本発明は食品やその収納容器を包む為のラップフィルムを収納するラップフィルム収納箱に備えられた切り刃を固定する切り刃固定具及びラップフィルムを切る方法に係わり、ラップフィルムが良く切れる様に改善したものに関する。
【背景技術】
【０００２】  一般に上記ラップフィルムはこれを芯の囲りに幾重にも巻いてロール状とし、ラップフィルム収納箱に収納して必要な長さだけ引き出したら切り刃により切って使う様にしている。一方、近年は地球環境保護や食品安全性の観点から非塩素系（焼却処分してもダイオキシンの発生なし）で添加物を含まない（食品への移行の懸念なし）ラップフィルムが求められ、例えばポリエチレン等のラップフィルムが使用されて来ている（従来は添加物を含むポリ塩化ビニリデン等）。
しかしながらこのポリエチレン製のラップフィルムは引っ張るとよく延びるので、切り刃による切れ味が非常に悪く、その為、力を入れ過ぎて切り刃やラップフィルム収納箱が変形したり、破れ・押し潰れが発生して使用に耐えなくなる事がある。
【発明の開示】
【発明が解決しようとする課題】
【０００３】  本発明の目的は、ラップフィルムの切り刃による切れ味を向上させる為にこの切り刃を変形しない様に固定する切り刃固定具を提供する事であり、ラップフィルムの切れ味を向上させる切り方を提供する事であり、以って添加物のない非塩素系のラップフィルムを使う事によって地球環境保護や食品安全性の問題に貢献しようとするところにある。
【課題を解決する為の手段】
【０００４】  本発明は上記目的を達成する為、ラップフィルムを幾周にも巻いたロールを収納するラップフィルム収納箱の蓋体の回動中心軸から切り刃まで延びる蓋体の角部に固定して切り刃を固定する為の切り刃固定具であって、この切り刃固定具は断面が曲がり角度９０°又はほぼ９０°のＬ字形である様にした。そしてラップフィルムを切れ味鋭く切る方法として、切り刃固定具の蓋体の回動中心軸側にある部分と切り刃固定具の切り刃側にある部分との内で前者の部分の表面に親指を当ててラップフィルムを切る方法であって、蓋体の回動中心軸側を構成する部分の表面がほぼ水平である状態から所定角度だけ予めラップフィルム収納箱をその長手方向を軸に内側へ回転させておき、然る後にラップフィルム収納箱の一端部を中心にラップフィルム収納箱を外側へ回転させる様に動かしてラップフィルムを切る様にした。
【発明の効果】
【０００５】  本発明によれば断面が曲がり角度９０°（ほぼ９０°）のＬ字形の切り刃固定具をラップフィルム収納箱の蓋体の角部に固定してある為、ラップフィルムを切る時に親指を切り刃固定具に当てれば切り刃はしっかりと固定され、ラップフィルム収納箱から離れる様に変形する（反る）事は起らず、ラップフィルムの切り刃による切れ味が大幅に向上する。従来はラップフィルムを切る時は切り刃がラップフィルム収納箱から離れる様に反り、変形する為、切れ味が悪くなり（切り刃がラップフィルムに鋭く当らなくなる）、この為、勢い力を入れ過ぎて切り刃やラップフィルム収納箱に破れや押し潰れが発生して、使用に耐えなくなる事があった。又、ラップフィルムは濡れ手で扱う事もあり、従来では切り刃付近の蓋体に水分が付着すると切り刃の抵抗力が弱くなって切る事は不可能になるが（蓋体は一般には紙製である）、本発明によれば切り刃固定具に保護されている為、切れ味の劣化はない。又、ラップフィルムを切る方法として、蓋体の回動中心軸側を構成する部分の表面がほぼ水平である状態から所定角度だけ予めラップフィルム収納箱をその長手方向を軸に内側へ回転させておき、然る後にラップフィルム収納箱の一端部を中心に外側へ回転させる様に動かしてラップフィルムを切るので、ラップフィルムは１８０°近く反転した状態（最も鋭く当る状態）で当る様になると共に（従来はほぼ９０°の角度で当るのみ）、ラップフィルムは先ずその一端部において破れが生じ、この破れが起点となって次々と切れてゆくので、弱い力で切れ味鋭く良く切れる様になる。以上によりポリエチレンなどの非塩素系ラップフィルム（添加物なし）を使用しても切れ味が悪くなるなどの不便がないので、地球環境保護や食品安全性に貢献できる。
【発明を実施する為の最良の形態】
【０００６】  図１（イ）に本発明によるラップフィルムの切り刃固定具を示し、一般にラップフィルムは芯の周囲に幾周にも巻いてロール状として図２（イ）の如くラップフィルム収納箱１に収納してある。図２（イ）においてラップフィルム収納箱１には蓋体２が備えられ、一般には紙製であり、回動中心軸５を中心に回動可能に備えられている。蓋体２にはラップフィルムを切る為の切り刃７が備えられ、切り刃７は細かい鋸刃状のものであり、金属製、プラスチック製、紙製などがあり、指が少し触れた程度では切れない安全刃である。蓋体２は回動中心軸５側にある部分３と切り刃７側にある部分４と角部６とにより構成されている。図１（イ）は本発明によるラップフィルムの切り刃固定具で、断面が曲がり角度９０°又はほぼ９０°のＬ字形の部分を有する形状であり、一般にはプラスチック製とする。８は図２（イ）の蓋体２の回動中心軸５側にある部分３に当てる部分、９は切り刃７側にある部分４に当てる部分で、この部分９は切り刃７によりラップフィルムを切る時にひっかからない様にその端部を面取りしてある。１０は角部である。尚、図１（ロ）の如く切り刃固定具を補強する補強部材１２を備えても良い。１１は親指を当てる為の位置を示す目印である。この切り刃固定具は図２（イ）の様に蓋体２の角部６と切り刃固定具の角部１０とがきっちり合う様に蓋体２に当てられ、図２（ロ）の如く例えば粘着テープ１４で固定される。この場合、切り刃固定具に図１（ハ）の様に穴１３を形成しておき、この穴１３より少し大き目の粘着テープで上から貼って蓋体２に固定する様にしても良い。尚、切り刃固定具を固定するに当り、図２（ハ）の様にラップフィルム収納箱が長い製品の場合は図示の如くラップフィルム収納箱の一端部側に完全に寄せ、寄せた方からラップフィルムを切ってゆく様にする。以上によりラップフィルムを切る時に親指を切り刃固定具（目印１１）に当てれば切り刃７はしっかりと固定され、ラップフィルム収納箱１から離れる様に変形する（外側へ反る）事は起らず、切り刃７がラップフィルムに鋭い角度で当る様になるので、切れ味が大幅に向上する。又、従来では親指を当てる位置は図２（イ）において蓋体２の切り刃７側の部分４であったが、本発明では回動中心軸５側の部分３に相当する位置である為（本発明では切り刃固定具により切り刃７をしっかりと固定し、切り刃７の変形・反りを無くす事ができる為、蓋体２の回動中心軸５側の部分３に相当する位置―角部６に近い位置とする事が望ましい―に親指を当てるだけで良い）。それだけラップフィルムを切る時にラップフィルム収納箱１をその長手方向を軸として内側へ回転させる回転角が少なくて済み、腕が疲れない。尚、図２（ロ）において切り刃７の先端部と切り刃固定具との距離Ｓは適正な範囲があり（例えば余り小さいとラップフィルムが切り刃固定具に接触して切り刃７に鋭く当たらなくなる）、図１（イ）において各々の幅ｈ、ｈ′に差を与えておき、ｈが不適切の場合は切り刃固定具を反転してｈ′を用いる様にする事が考えられる。図１（ニ）は図１（イ）において目印１１の両側の部分の幅を各々縮小したものに相当するものである。
【０００７】  次に本発明によるラップフィルムの切り方を説明する。先ず図３（イ）の様に蓋体２を開いてラップフィルムを必要なだけ引き出したら、親指を切り刃固定具の目印１１に当てて蓋体２を閉じ（目印１１は切り刃固定具の蓋体２の回動中心軸５側にある部分にある）、この状態は蓋体２の回動中心軸５側を構成する部分の表面がほぼ水平である状態であるが、この状態から図３（ロ）の様に所定角度だけ（４５°〜９０°位）予めラップフィルム収納箱１をその長手方向を軸に内側へ回転させておき（矢印Ａの方向に回転）、然る後に図３（ハ）の様にラップフィルム収納箱１の一端部１５（図では手前側の一端部）を中心にラップフィルム収納箱１を矢印Ｃの如く外側へ回転させる様に動かしてラップフィルムを切り刃７により切るのである。こうすると図３（ロ）の様にラップフィルムは切り刃７に１８０°近く反転した状態で当る様になると共に（これにより切り刃７が最もラップフィルムに食い込み易くなる―従来ではほぼ９０°の角度で当る為、食い込み難い）、図３（ハ）からも明らかの様にラップフィルムは先ずその一端部において破れが生じ、この破れが起点となって次々と（手前側へ）切れてゆくので、弱い力で切れ味鋭く良く切れる様になる（ラップフィルムに切り刃７が一度に当ると強い力が必要となり、実際には切れない）。この場合、図３（ハ）の動作の前に、図３（ニ）の様にラップフィルムを切る為にラップフィルム収納箱１を動かす方向とは反対方向にラップフィルム収納箱１を向けておき、然る後に図３（ハ）の動作を行なう様にすると切り刃７がラップフィルムに当る時の速度が大きくなるので（図３（ニ）の如くラップフィルムにたるみが生じ、ラップフィルム収納箱１を回転させる速度が十分になってから切り刃７がラップフィルムに当る為）、切れ味が更に向上する。従来でも図３（ロ）の様にすれば切り刃７にラップフィルムが１８０°近く反転した状態で当る様になりそうであるが、切り刃固定具がない為、切り刃７が矢印Ｂの如くラップフィルム収納箱１から離れる様に大きく変形し（反る）、実際は全く切れない（そればかりでなく、切り刃を支える部分に破れが生じる）。図３（ハ）においてはラップフィルム収納箱１の一端部１５を中心にラップフィルム収納箱１を外側へ回転させる様に動かして切る様にしているが、ラップフィルム収納箱を掴んだ親指を中心に外側へ回転させながら横方向へ引く様に動かしても良く切れ、実質的には両者の切り方は同じであると考えて良い。又、図３（ハ）においてはラップフィルム収納箱１を外側へ回転させる様に動かすに当り、ラップフィルム収納箱１の一端部を中心としているが、ラップフィルム収納箱１を掴んだ手の腕の肩を中心としても良く、両者の切り方は実質的には同じであると考えて良い。尚、図３（ハ）においては逆にラップフィルム収納箱１のもう１つの一端部１６を中心にラップフィルム収納箱１を外側へ回転させる様に動かしても良い。図１（ホ）は図１（ニ）において目印１１の両側の部分の幅をなくしたものに相当するものである。
【０００８】  図４（イ）は本発明によるラップフィルムの切り刃固定具１７を示し、単なる板状のものであるが、これを使用する時は図４（ニ）の様に蓋体２の回動中心軸５側の部分３と切り刃７側の部分４との内で後者の部分４側に例えば粘着テープ２１で固定する。
この場合、図４（ロ）は別の固定法を示し、蓋体２の先端部の両端に差し込む差し込み溝１９を有する固定辺１９′により固定するものである。図４（ハ）は補強リブ２０を備えた構造のものを示す（断面はＬ字形となる）。次に使用法を説明すると、図５（イ）の様に蓋体２を開いてラップフィルムを必要なだけ引き出したら親指を目印１８に当てて蓋体２を閉じ、この状態は蓋体２の切り刃７側を構成する部分の表面がほぼ水平の状態であるが、この状態から図５（ロ）の様に所定角度だけ（４５°〜９０°位が良い）予めラップフィルム収納箱１をその長手方向を軸に内側へ回転させておき、然る後にラップフィルム収納箱１の一端部１５（図では手前側の一端部）を中心にラップフィルム収納箱１を矢印Ｃの如く外側へ回転させる様に動かして切り刃により切るのである（以上の切り方は図３と同じであると考えて良い）。こうするとラップフィルムを切る時は親指を切り刃固定具１７（目印１８）に当てれば切り刃７はしっかりと固定され、ラップフィルム収納箱１から離れる様に変形する（外側へ反る）事は起らず、切り刃７がラップフィルムに鋭い角度で当る様になり、かつラップフィルムは一端部から次々と切れてゆくので、弱い力で切れ味鋭く良く切れる様になる。
【０００９】  尚、切り刃固定具１７は蓋体２の角部から切り刃７までの部分の裏側に固定（粘着テープなどで剥れない様にしっかりと固定）する様にする事も考えられる。
【図面の簡単な説明】
【００１０】
【図１】  本発明によるラップフィルムの切り刃固定具の図。
【図２】  切り刃固定具を固定したラップフィルム収納箱の図。
【図３】  本発明によるラップフィルムを切る方法を示す図。
【図４】  本発明によるラップフィルムの切り刃固定具の図。
【図５】  本発明によるラップフィルムを切る方法を示す図。
【符号の説明】  １はラップフィルム収納箱、２は蓋体、３は蓋体の回動中心軸側にある部分、４は蓋体の切り刃側にある部分、５は回動中心軸、６は角部、７は切り刃、８は蓋体の回動中心軸にある部分に当てる部分、９は蓋体の切り刃側にある部分に当てる部分、１０は角部、１１は目印、１２は補強部材、１３は穴、１４は粘着テープ、１５は一端部、１６はもう１つの一端部、１７は切り刃固定具、１８は目印、１９は差し込み溝、１９′は固定片、２０は補強リブ、２１は粘着テープである。
【図１】
2010260636.tif 000003
【図２】
2010260636.tif 000004
【図３】
2010260636.tif 000005
【図４】
2010260636.tif 000006
【図５】
2010260636.tif 000007